(57)【特許請求の範囲】
【請求項１】
クローラ式の走行装置を備えた車体（１）上に刈取懸架台（２）を設け、該刈取懸架台（２）に後部フレーム（３）の基部を支持させ、該後部フレーム（３）を前部下方に延長してその前端部に横向きの伝動ケース（４）を連結し、該伝動ケース（４）の前側に、２条の穀稈列を掻込む左右一対の穀稈掻込み装置（７，７）を刈幅方向に三対配列して設け、該穀稈掻込み装置（７，７）のうちの左端にある一対の穀稈掻込み装置（７，７）の右側に隣接する位置に１条の穀稈を掻込む単一の第１穀稈掻込み装置（８）を配置して７条刈りの刈取搬送装置を構成し、前記三対の穀稈掻込み装置（７，７）のうちの中間に配置された一対の穀稈掻込み装置（７，７）と、この中間に配置された一対の穀稈掻込み装置（７，７）に連動する根元搬送チェン（９）を、前記後部フレーム（３）から伝動軸（１０）を介して駆動する構成とし、該伝動軸（１０）から伝動装置（１１）を介して分岐させた動力を、前記第１穀稈掻込み装置（８）と、該第１穀稈掻込み装置（８）によって掻込まれた１条の穀稈を搬送する一連の搬送装置（１２）に伝動する構成としたことを特徴とする多条刈りコンバイン。
【請求項２】
前記伝動装置（１１）を、三対の穀稈掻込み装置（７，７）のうちの中間に配置された一対の穀稈掻込み装置（７，７）のうちの左右一側の穀稈掻込み装置（７）の掻込みスターホイール（１３）と、前記第１穀稈掻込み装置（８）の掻込みスターホイール（１４）の上方に配置したことを特徴とする請求項１記載の多条刈りコンバイン。
【請求項３】
前記後部フレーム（３）に内装した刈取伝動軸（２７）の中間部位に伝動軸（１０）を連動し、該伝動軸（１０）の上端部に前記根元搬送チェン（９）を駆動するスプロケット（２８）を取り付け、前記伝動軸（１０）からの動力を分岐して伝動する伝動装置（１１）を前記第１穀稈掻込み装置（８）側に向けて延長し、該伝動装置（１１）から、掻込みラグベルト（２０）及び掻込みスターホイル（１４）からなる第１穀稈掻込み装置（８）と、該第１穀稈掻込み装置（８）の後部に接続した根元搬送チェン（２３）及び第１穂先搬送ラグ（２４）とからなる一連の搬送装置（１２）に伝動する構成としたことを特徴とする請求項１又は請求項２記載の多条刈りコンバイン。
【請求項４】
前記三対の穀稈掻込み装置（７，７）のうちの中間に配置された一対の穀稈掻込み装置（７，７）の後部に穂先搬送ラグ（３８）を接続し、該穂先搬送ラグ（３８）駆動用の穂先駆動スプロケット（４０）を、前記第１穂先搬送ラグ（２４）駆動用の第１穂先駆動スプロケット（４１）よりも前側の部位に軸架したことを特徴とする請求項３記載の多条刈りコンバイン。
【発明の詳細な説明】
【技術分野】
【０００１】
この発明は、多条刈りコンバインに関する。
【背景技術】
【０００２】
従来から多条刈りのコンバインに関する公知技術は、公報上にも多数公開されており、例えば、特開昭６１−２０２６２２号、や特開平１１−４６５７１号の公開特許公報、更に、特許第３５６３００５号の特許公報がその例である。
【０００３】
まず、特開昭６１−２０２６２２号の公開特許公報に開示されている公知技術は、明細書、及び図面に示されているように、多条刈りの引起し装置の外側に、１条分の引起体、及び掻込装置等を着脱可能に装備できる構成に関するものであって、要するに、１条分の刈取関連装置を着脱自在として取り付け、刈取条数を調節できる点に特徴がある。
【０００４】
そして、特開平１１−４６５７１号の公開特許公報に開示されている公知技術は、明細書と図面によれば、多条の刈取穀稈を左右両外側に搬送して左右の脱穀装置で脱穀し、選別後の穀粒を中央のグレンタンクに集めて貯留するコンバインが開示されている。
【０００５】
そして、特許第３５６３００５号の特許公報に開示されている公知技術は、伝動ケース（以下、説明する本件出願の「後部フレーム」に相当する部材）に内装軸架した伝動軸から取り出した回転動力で搬送装置を伝動する多条刈りにおける刈取部の伝動構造が記載されている。
【０００６】
これらは、いずれも、多条刈りコンバインの公知例であるが、この種の多条刈りコンバインは、通常、大型トラック等に搭載して運搬ができる範囲の刈取条数（横幅）で製造されるのが一般的である。
【特許文献１】特開昭６１−２０２６２２号公開特許公報
【特許文献２】特開平１１−４６５７１号公開特許公報
【特許文献３】特許第３５６３００５号特許公報
【発明の開示】
【発明が解決しようとする課題】
【０００７】
従来、公知の多条刈りコンバインにおいて、車体上の刈取懸架台に基部を支持した後部フレームを、前方下部に延長してその前部に、横向きの伝動ケースを連結して平面視Ｔ型の刈取支持フレームを構成し、この刈取支持フレームに、穀稈掻込み装置や引起し装置、根元、穂先の各搬送装置を取り付けて構成する刈取搬送装置は、車体前部の右側に運転席（キャビン）や走行ミッションケースが配置されており、スペース上の制限が大きく、刈取条数を右側には増加できない制約がある。
【０００８】
更に、多条の刈取搬送装置は、これを平面視Ｔ型の刈取支持フレームに全てを支持させるためには、前後と左右、特に、左・右バランスを確保しながら刈取条数を増やすことが必要で、単に、横並びに配置して外側に追加する如く拡張することは許されない。
【０００９】
そして、従来のこの種の多条刈りコンバインは、刈取搬送装置を構成している多条の各穀稈掻込み装置、更に、これに接続した各根元、及び穂先の搬送装置を伝動する伝動機構が複雑となる課題もある。
【課題を解決するための手段】
【００１０】
この発明は、上記課題を解決するために、次のような技術的手段を講じる。
即ち、請求項１に記載した発明は、クローラ式の走行装置を備えた車体（１）上に刈取懸架台（２）を設け、該刈取懸架台（２）に後部フレーム（３）の基部を支持させ、該後部フレーム（３）を前部下方に延長してその前端部に横向きの伝動ケース（４）を連結し、該伝動ケース（４）の前側に、２条の穀稈列を掻込む左右一対の穀稈掻込み装置（７，７）を刈幅方向に三対配列して設け、該穀稈掻込み装置（７，７）のうちの左端にある一対の穀稈掻込み装置（７，７）の右側に隣接する位置に１条の穀稈を掻込む単一の第１穀稈掻込み装置（８）を配置して７条刈りの刈取搬送装置を構成し、前記三対の穀稈掻込み装置（７，７）のうちの中間に配置された一対の穀稈掻込み装置（７，７）と、この中間に配置された一対の穀稈掻込み装置（７，７）に連動する根元搬送チェン（９）を、前記後部フレーム（３）から伝動軸（１０）を介して駆動する構成とし、該伝動軸（１０）から伝動装置（１１）を介して分岐させた動力を、前記第１穀稈掻込み装置（８）と、該第１穀稈掻込み装置（８）によって掻込まれた１条の穀稈を搬送する一連の搬送装置（１２）に伝動する構成としたことを特徴とする多条刈りコンバインとしたものである。
【００１１】
コンバインの前部右側に装置されている運転席（キャビン）や走行ミッションケースに障害を与えない範囲で刈取条数を増加し、刈取支持フレーム上の重量バランスを保ちながら７条刈りの刈取搬送装置を構成しており、刈取全体のバランスを向上させたものでありながら、伝動機構の簡素化が図れる。
【００１２】
つぎに、請求項２に記載した発明は、前記伝動装置（１１）を、三対の穀稈掻込み装置（７，７）のうちの中間に配置された一対の穀稈掻込み装置（７，７）のうちの左右一側の穀稈掻込み装置（７）の掻込みスターホイール（１３）と、前記第１穀稈掻込み装置（８）の掻込みスターホイール（１４）の上方に配置したことを特徴とする請求項１記載の多条刈りコンバインとしたものである。
【００１３】
中間位置に配置している一対の穀稈掻込み装置（７，７）の根元搬送チェン（９）を伝動する伝動軸（１０）から分岐して取り出した１条用の前記穀稈掻込み装置（８）や一連の搬送装置（１２）を伝動する伝動装置（１１）を、穀稈の搬送径路を避けて配置し、穀稈の絡み付きをなくして搬送障害を未然に回避すると共に、雑草等の溜り部分をなくしたものとなった。
また、請求項３に記載した発明は、前記後部フレーム（３）に内装した刈取伝動軸（２７）の中間部位に伝動軸（１０）を連動し、該伝動軸（１０）の上端部に前記根元搬送チェン（９）を駆動するスプロケット（２８）を取り付け、前記伝動軸（１０）からの動力を分岐して伝動する伝動装置（１１）を前記第１穀稈掻込み装置（８）側に向けて延長し、該伝動装置（１１）から、掻込みラグベルト（２０）及び掻込みスターホイル（１４）からなる第１穀稈掻込み装置（８）と、該第１穀稈掻込み装置（８）の後部に接続した根元搬送チェン（２３）及び第１穂先搬送ラグ（２４）とからなる一連の搬送装置（１２）に伝動する構成としたことを特徴とする請求項１又は請求項２記載の多条刈りコンバインとしたものである。
また、請求項４に記載した発明は、前記三対の穀稈掻込み装置（７，７）のうちの中間に配置された一対の穀稈掻込み装置（７，７）の後部に穂先搬送ラグ（３８）を接続し、該穂先搬送ラグ（３８）駆動用の穂先駆動スプロケット（４０）を、前記第１穂先搬送ラグ（２４）駆動用の第１穂先駆動スプロケット（４１）よりも前側の部位に軸架したことを特徴とする請求項３記載の多条刈りコンバインとしたものである。
【発明の効果】
【００１４】
まず、請求項１に記載した発明によると、コンバインの前部右側に設けられている運転席（キャビン）や走行ミッションケースによって制約されたスペースにおいて、配置上、及び作用上の障害を発生させない範囲で刈取条数を増加し、刈取作業の能率を高めることができる。
【００１５】
そして、重量バランスを保ちながら７条刈りの刈取搬送装置を構成しており、刈取全体のバランスを向上させて、安定した刈取作業を行なうことができる。
また、後部フレーム（３）に設けた伝動軸（１０）から伝動装置（１１）によって分岐した動力を、１条の穀稈を掻込み案内する単一の第１穀稈掻込み装置（８）と、１条の穀稈を搬送する一連の搬送装置（１２）へ伝動する構成であって、従来の多条刈りコンバインおける伝動機構を大幅に簡素化でき、安価に提供することができる。
【００１６】
そして、請求項２に記載した発明によると、上記請求項１に記載した発明の効果に加え、前記伝動装置（１１）を、穀稈の搬送径路を避けて配置し、穀稈の絡み付きを少なくして搬送障害を未然に回避すると共に、雑草等の溜り部分を少なくして、刈取作業を能率よく行なうことができる。
また、請求項３に記載した発明によると、上記請求項１又は請求項２に記載した発明の効果のように、多条刈りコンバインにおける伝動機構を大幅に簡素化することができる。
また、請求項４に記載した発明によると、上記請求項３に記載した発明の効果に加え、第１穂先搬送ラグ（２４）によって１条の穀稈を合流位置に近い位置まで搬送でき、また、この搬送過程において穀稈の上部を安定させた姿勢で搬送できるので、穀稈の合流位置における乱れを小さくすることができる。
【発明を実施するための最良の形態】
【００１７】
以下、この発明の実施例を図面に基づいて具体的に説明する。
まず、コンバインは、図１、及び図３に示すように、クローラ１５，１５を装備した車体１上に、穀稈供給口１６を前側に位置させて脱穀装置１７を搭載し、その前側に刈取搬送装置１８を昇降自由に連結した構成としている。
【００１８】
そして、刈取搬送装置１８の支持機枠は、上記脱穀装置１７の前側、車体１の前部に刈取懸架台２が装置され、その刈取懸架台２上に基部を枢着状態に支持した後部フレーム３を、前部下方に延長してその前端部に、横向きの伝動ケース４を連結して平面視Ｔ型の刈取支持フレーム５を構成している。そして、刈取搬送装置１８は、前記刈取支持フレーム５上に各部材を支持するが、図１に示す実施例の場合、前部低位置に８個の分草杆１９を横にして略等間隔を保持して配置し、伝動ケース４の前側機枠に固着して設けている。そして、刈取装置６は、前記伝動ケース４の前側機枠から前方側に支持して設け、前記した各分草杆１９の後方位置に横方向の全幅に渡って配置しており、刈取条列ごとに掻込まれる穀稈根元の刈り取りが出来る構成としている。
【００１９】
そして、穀稈掻込み装置７，７は、図１に示すように、左右の掻込みラグベルト２０と掻込みスターホイール２１（中間位置の左側の掻込みスターホイールのみ符号を「１３」とする）とからなり、前側を広くして２条の穀稈列（Ｋ）（圃場における穀稈条列）を掻込み、前記刈取装置６に案内する左右一対を１組として、全部で３組を横方向に配列して構成している。
【００２０】
そして、一つの穀稈掻込み装置（第１穀稈掻込み装置）８は、図面から明らかなように、一つの掻込みラグベルト２０と掻込みスターホイール１４とからなり、対向側には案内杆３７を設けて１条の穀稈列（Ｋ）を掻込んで前記刈取装置６に案内する構成とし、前記穀稈掻込み装置７，７の左端にある１組のすぐ右側に隣接して配置した構成としている。そして、刈取支持フレーム５は、３組の２条用の穀稈掻込み装置７，７と１条用の穀稈掻込み装置８とによって、全部で７条の穀稈列（Ｋ）を同時に刈取る７条刈りの構成としている。２２は穀稈引起し装置を示し、各刈取条ごとに設けている。
【００２１】
このように構成した刈取搬送装置１８は、図１に示す実施例の平面視で解るように、圃場に植立する７条の穀稈列（Ｋ）との関係位置が、後部フレーム３の前方に１条が位置し、他の６条は、前記１条を中心にして左右両側に３条づつが位置する状態になり、両側でそれぞれ３条の刈取が出来る配置構成となって、刈取支持フレーム５上において、左右の重量バランスが確保された構成となっている。
【００２２】
そして、前記した３組の穀稈掻込み装置７，７は、それぞれ刈取装置６まで掻込み、案内して刈り取った穀稈を、後部上方の合流部位まで単独に搬送するために、根元搬送チェン９と穂先搬送ラグ３８とを備え、これらの刈取穀稈を搬送する構成としている。
【００２３】
そして、１条用の穀稈掻込み装置８は、図１に示すように、左端の１組の穀稈掻込み装置７，７の隣接側（右側）の穀稈掻込み装置７と同一方向に傾斜させてその穀稈掻込み装置７と略平行状に配置して設け、１条の刈取穀稈を、左側の１組の穀稈掻込み装置７，７の根元搬送チェン９と穂先搬送ラグ３８とを利用できるように搬送する根元搬送チェン２３と案内杆３７を設けた構成としている。したがって、この根元搬送チェン２３は、１条の刈取穀稈を前記した左側の１組の穀稈掻込み装置７，７の根元搬送チェン９と穂先搬送ラグ３８側に送って、左側の２条の搬送穀稈列に合流させながら後部、上方へ搬送する構成としている。２４は上記根元搬送チェン２３の後半部の上方に設けている穂先搬送ラグ（第１穂先搬送ラグ）である。
【００２４】
以上の構成において、前記刈取装置６の右端に位置する１組の穀稈掻込み装置７，７の後部から刈取穀稈を、後部中央位置の後部フレーム３上方位置の合流部まで搬送する根元搬送チェン９と穂先搬送ラグ３８は、図１に示すように、車体前部の右側に配置されている運転席（キャビン）２５や走行ミッションケース２６の存在によって受けるスペース上の制約を回避し、重量バランスを崩さない範囲で左側に刈取条数を増加した構成としている。
【００２５】
つぎに、１条用の穀稈掻込み装置８への伝動機構について、図１、及び図２に示した実施例を説明する。
まず、伝動軸１０は、図２に示すように、後部フレーム３に内装軸架している刈取伝動軸２７の中間部位から動力を取り出し可能に接続し、上端部には、根元搬送チェン９を伝動するスプロケット２８を軸着して構成している。このようにして伝動される根元搬送チェン９は、すぐ上側の穂先搬送ラグ３８を伝動すると共に、左右の中間に装置されたている１組の２条用の穀稈掻込み装置（７）（７）を伝動する構成としている。そして、伝動装置１１は、図面から解るように、前記伝動軸１０に伝動可能に連結して、該伝動軸１０から動力を分岐して取り出して、前記した１条の穀稈を掻込み案内する一つの穀稈掻込み装置８側に向けて延長して、１条穀稈を搬送する一連の搬送装置１２に伝動する構成としている。この場合、一連の搬送装置１２とは、根元搬送チェン２３、穂先搬送ラグ２４、更に、これらの前部に接続する掻込みラグベルト２０と掻込みスターホイール１４を指している。
【００２６】
そして、伝動装置１１は、１組の穀稈掻込み装置７，７の一方側（左側）の掻込みスターホイール１３と、１条の穀稈を掻込み案内する穀稈掻込み装置８の掻込みスターホイール１４の上方（図３に示す刈取搬送装置１８のように、側面視で高い位置にある。）に配置して伝動する構成としている。
【００２７】
以上述べたように構成した本件出願は、実施例の場合、コンバインの前部右側に装置されている運転席（キャビン）２５や走行ミッションケース２６によって制約されたスペースにおいて、配置上、及び作用上の障害を発生させない範囲で刈取条数を増加して７条刈りの多条刈りコンバインを完成させている。
【００２８】
そして、この場合、実施例は、刈取支持フレーム５上の重量バランスを保ちながら７条刈りの刈取搬送装置１８を構成しており、刈取全体のバランスを向上させたものとなっている。
【００２９】
そして、実施例は、後部フレーム３から動力を取り出した伝動軸１０を介して、中間に装置された２条用の穀稈掻込み装置７，７と、これに接続する根元搬送チェン９等を伝動する構成において、その伝動軸１０から伝動装置１１によって分岐した動力を、１条の穀稈を掻込み案内する一つの穀稈掻込み装置８と、１条穀稈を搬送する一連の搬送装置１２（掻込みラグベルト２０、掻込みスターホイール１４、根元搬送チェン２３、穂先搬送ラグ２４）を伝動する構成であって、従来の多条刈りコンバインおける伝動機構に比較すると、大幅に簡素化したものとなっている。
【００３０】
そして、実施例の場合、前記伝動装置１１は、すでに説明した通り、１組の穀稈掻込み装置７，７の一方側（左側）の掻込みスターホイール１３と、１条の穀稈を掻込み案内する穀稈掻込み装置８の掻込みスターホイール１４の上方を通して配置したから、穀稈の搬送径路を避けており、搬送穀稈が絡み付いたり、雑草等の溜り場になることもなくなった。
【００３１】
なお、刈取搬送装置１８は、側面視（図３参照）で前傾状態にあって、掻込みスターホイール１３と掻込みスターホイール１４とも傾斜しており、前記伝動装置１１が側面視で上方に位置するから、前記の如く、「前記伝動装置１１は、一方側（右側）の掻込みスターホイール１３と、１条の穀稈を掻込み案内する掻込みスターホイール１４の上方を通して配置した構成」と表現している。
【００３２】
つぎに、１条用の穀稈掻込み装置８の搬送下手側に接続した根元搬送チェン２３と、その右隣に設けている中間部の２条の刈取穀稈を搬送する根元搬送チェン９とは、図４に示すように、同一高さに支持したスプロケット３１，３２にそれぞれ巻き掛けて伝動する構成としている。
【００３３】
このように、２本の根元搬送チェン２３，９とを、同一の高さ位置に軸架したスプロケット３１，３２によって伝動する構成にすると、これらの支持部材やスプロケット３１，３２の伝動軸等、ほとんどの部品が共用可能となり、全体で大幅にコスト低減が可能になる特徴がある。
【００３４】
同様に、２条用の穂先搬送ラグ３８と１条用の穂先搬送ラグ２４とは、図５に示すように、穂先駆動スプロケット４０，４１の支持高さを同一に構成すると、上記した根元搬送チェン２３，９と同一の効果を奏することが可能となる。
【００３５】
そして、１条用の穂先搬送ラグ２４は、図５に示すように、２条側の穂先駆動スプロケット４０より１条側の穂先駆動スプロケット（第１穂先駆動スプロケット）４１を、進行方向で後に下げて軸架し、極力後方位置まで延長して穀稈の合流位置に近い位置まで搬送できる構成にすることによって、刈取穀稈の搬送過程において、穀稈上部を安定した姿勢で長く後方まで搬送できるから、その後の合流位置における乱れを最小にすることができる利点がある。
【００３６】
つぎに、多条刈り刈取搬送装置１８のスターホイール伝動に関し、図６に基づいて、実施例を説明する。
なお、この種の多条刈りコンバインにおいて、掻込みスターホイールを装備した刈取搬送装置は、伝動機構を簡略化するために、隣設した掻込みスターホイール同士を噛み合せて構成し、該掻込みスターホイールに、穀稈の掻込み作用と、併せて、伝動機能を持たせた公知技術は知られている。例えば、特開２００４−５７０９１号公開特許公報や特開２００６−１９７８０７号公開特許公報には、スターホイールを噛み合せて行う伝動装置が開示されている。
【００３７】
まず、実施例は、図６に示すように、後部フレーム３から回転動力を取り出して駆動している中間部の駆動スプロケット４２から根元搬送チェン４３を経由して掻込みスターホイール４４を伝動し、該掻込みスターホイール４４に左右両側から噛み合っている両方の掻込みスターホイール４５，４６を伝動する構成としている。そして、掻込みスターホイール４６は、図面に示すように、１条用の根元搬送装置４７を伝動する構成となっている。
【００３８】
このように、実施例は、後部フレーム３から取り出した回転動力を、中間部の駆動スプロケット４２を基点として、合計３条のそれぞれの搬送装置を伝動する構成にして、伝動機構の簡略化を図っているが、伝動軸をなくすることによって藁が溜まらない等の利点もある。そして、実施例は、左右にそれぞれ１組の２条用の穀稈掻込み装置７，７の間に１条用の穀稈掻込み装置８を配置した構成において、スターホイール伝動を採用したから、伝動装置の追加を要せず、部品点数の削減が出来た利点がある。
【００３９】
そして、実施例は、図面に示すように、３連の掻込みスターホイール４４，４５，４６を順次噛み合せて構成し、中央の掻込みスターホイール４４を駆動スターホイールとし、その左右両側に噛み合うスターホイール４５，４６を従動スターホイールとしたから、既に説明した公知技術に比較して、強度的に強くなり、伝動に伴うガタの発生もほとんどなくなる特徴がある。
【００４０】
なお、上記実施例は、２条用の穀稈掻込み装置７，７を、左右両側に配置して、その間に１条用の穀稈掻込み装置８を配置した構成で、右側の掻込みスターホイール４４から動力を伝動を構成を採用しているが、これを左側にある掻込みスターホイール４８から、入力する構成を採用することも可能である。
【００４１】
この場合は、掻込みスターホイール４６は、掻込みスターホイール４８と噛合わせて伝動すると、回転方向と穀稈の掻込み方向とを一致させる配慮が必要になる。
【図面の簡単な説明】
【００４２】
【図１】７条刈りの刈取搬送装置の平面図
【図２】一部破断した伝動機構を示す側面図
【図３】コンバインの側面図
【図４】他の実施例を示す７条刈りの刈取搬送装置の平面図
【図５】他の実施例を示す７条刈りの刈取搬送装置の平面図
【図６】他の実施例を示す７条刈りの刈取搬送装置の平面図
【符号の説明】
【００４３】
１  車体
２  刈取懸架台
３  後部フレーム
４  伝動ケース
６  刈取装置
７  穀稈掻込み装置
８  穀稈掻込み装置（第１穀稈掻込み装置）
９  根元搬送チェン
１０  伝動軸
１１  伝動装置
１２  一連の搬送装置
１３  掻込みスターホイール
１４  掻込みスターホイール
２０  掻込みラグベルト
２３  根元搬送チェン
２４  穂先搬送ラグ（第１穂先搬送ラグ）
２７  刈取伝動軸
２８  スプロケット
３８  穂先搬送ラグ
４０  穂先駆動スプロケット
４１  穂先駆動スプロケット（第１穂先駆動スプロケット）
【図１】
0004952571.tif 000002
【図２】
0004952571.tif 000003
【図３】
0004952571.tif 000004
【図４】
0004952571.tif 000005
【図５】
0004952571.tif 000006
【図６】
0004952571.tif 000007